(57)【要約】【課題】光源を有効利用する側面光源式バックライトモジュールの光調整構造を提供する。【解決手段】側面光源式バックライトモジュールの光調整構造は、ライトガイド板の板端をライトカバー開口箇所に合わせて設置し、光源の光線を板端からライトガイド板に入れ、ライトガイド板予定板面から出し、光源表示効果を得る。そのうち、光源とライトガイド間に光調整構造を設置し、その光調整構造には各々入光面及び出光面を設置する。入光面と出光面上には複数個の拡散体が設置され、光源の光線がライトガイド板に入る前に、通過した光線は少なくとも二回の拡散体による拡散が行われる。【選択図】図2
0003114195.tif 000002
【実用新案登録請求の範囲】
【請求項１】
ライトカバー内に光源を設置し、ライトガイド板の板端をライトカバーの開口箇所と合わせて設置し、光源の光線を板端からライトガイド板へ入れてライトガイド板の予定板面から出し、光源表示効果を具える側面光源式バックライトモジュールの光調整構造において、
光源とライトガイド板間に光調整構造を設置し、この光調整構造は光源の正面位置に入光面を設置し、ライトガイド板の板端位置に出光面を設置し、入光面と出光面上に均一に複数個の拡散体を設置するもので、光源の光線がライトガイド板に入る前に、光調整構造の拡散体の設置によって、光線が有効に利用されることを特徴とする側面光源式バックライトモジュールの光調整構造。
【請求項２】
前記各拡散体は、複数個の多角錐型突出構造によって構成されることを特徴とする請求項1記載の側面光源式バックライトモジュールの光調整構造。
【請求項３】
前記拡散体は、複数個の多角錐型凹構造によって構成されることを特徴とする請求項1記載の側面光源式バックライトモジュールの光調整構造。
【請求項４】
前記各拡散体は、一体でこの部位の多角錐型突出構造を構成することを特徴とする請求項1記載の側面光源式バックライトモジュールの光調整構造。
【請求項５】
前記各拡散体は、一体でこの部位の多角錐型凹構造を構成することを特徴とする請求項1記載の側面光源式バックライトモジュールの光調整構造。
【請求項６】
前記各拡散体は、一体でこの部位の直線形溝槽構造を構成することを特徴とする請求項1記載の側面光源式バックライトモジュールの光調整構造。
【請求項７】
前記光調整構造は、内部に中空体が設置されることを特徴とする請求項1記載の側面光源式バックライトモジュールの光調整構造。
【請求項８】
前記中空体は、連続状であることを特徴とする請求項7記載の側面光源式バックライトモジュールの光調整構造。
【請求項９】
前記中空体は、非連続状であることを特徴とする請求項7記載の側面光源式バックライトモジュールの光調整構造。
【請求項１０】
前記ライトガイド板は、上方に複数枚の光学膜片を設置することを特徴とする請求項1記載の側面光源式バックライトモジュールの光調整構造。
【考案の詳細な説明】
【技術分野】
【０００１】
本考案は、バックライトモジュールの調節構造に関するもので、特に側面式に関するものである。
【背景技術】
【０００２】
一般の電子装置の液晶モニターは、実際に必要とする求めに応じて設計され、直下式もくしは側面光式のバックライトモジュールアーキテクチャーを選択する。図１に示すとおり、側面光式バックライトモジュールの基本構造は、主にライトカバー10内に光源20を設置し、ライトガイド板30の板端をライトカバー10の開口箇所に合わせて設置し、ライトガイド板30上方には数枚の光学膜片50及びモニター面板30の順に設置し、光源20の光線を板端からライトガイド板30へ入れ、ライトガイド板30の予定位置板面に向かって出し、光効果を得る。
【考案の開示】
【考案が解決しようとする課題】
【０００３】
解決しようとする問題点は、光源射出面に向かって光線がライトガイド板30から進入した時、ライトガイド板30の光源20近くの箇所では集中照射現象が発生し、光線が集中した区域では明紋が発生し、液晶モニターの画面の質に影響を与える点である。
【課題を解決するための手段】
【０００４】
本考案は、ライトガイド板の板端をライトカバー開口箇所に合わせて設置し、光源の光線を板端からライトガイド板に入れてライトガイド板予定板面から出し、光源表示効果を得る。そのうち、光源とライトガイド間に光調整構造を設置し、その光調整構造には各々入光面及び出光面を設置する。入光面と出光面上には複数個の拡散体が設置され、光源の光線がライトガイド板に入る前に、通過した光線は少なくとも二回の拡散体による拡散が行われることを最も主要な特徴とする。
【考案の効果】
【０００５】
本考案の側面光源式バックライトモジュールの光調整構造は、光源が有効に利用されるという利点がある。
【考案を実施するための最良の形態】
【０００６】
図2に示すとおり、側面光源式バックライトモジュールには同様にライトカバー10内に光源20が設置される。またライトガイド板30の板端をライトカバー10の開口箇所で合わせて設置し、光源20の光線を板端からライトガイド板30に入れ、ライトガイド板30の予定板面から射出させ、表示効果を得る。そのうち、光源20とライトガイド30の間に光調整構造40を設置する。この光調整装置40は、光源20の正面位置に入光面41が設置され、ライトガイド板30の板端位置に出光面42が設置される。この実施例では、バソクライトモジュールは、ライトガイド板30上方に数枚の光学膜片50が設置される。この光学膜片50は、1〜3枚の拡散片、0〜2枚の増光片、0〜1枚の反射式偏光片等が相互に合わさって構成される。この光学膜片50の上方にはモニター面板60が設置され、光線は数枚の光学膜片50を通過してモニター面板60の方向に投射される。
【０００７】
前述の光調整構造40の出光面は、ライトガイド板30の板端と正面で対応している。そのため各光源20は入光面41から光調整構造40に入り、出光面42を経てライトガイド板30へ進入し、バックライトモジュールは予定の輝度を得る。
【０００８】
図2及び図3に示すとおり、光調整構造40全体は、各光源20を通過する部位(図に示すのは入光面41及び出光面42の部位〉に複数の拡散体43を設置する。
各拡散体は図に示すとおり、複数個の多角錐型突出構造、もしくは複数個の多角錐型凹型構造(図略)によって構成される。図4に示すのは直線形溝槽であり、通過した光線が拡散される。
【０００９】
各光源20がライトガイド板30に入る前、その光線は先ず光調節構造40を通過し、光調整構造40の作用によって、通過した光線は少なくとも二回の拡散体43の拡散、混合作用を経て、暗紋、明紋区域を減らし、光線を有効に利用する。
【００１０】
更にこの光調整構造40内に更に中空体70を設置して拡散効果を高める。図5に示すのは、中空体70が連続形式であり、図6に示すのは非連続形式の異なる形体から構成され、どちらも通過した光線が図7に示すとおり、拡散作用を形成する。
【図面の簡単な説明】
【００１１】
【図１】公知の側面光源式バックライトモジュール調節構造指示図である。
【図２】本考案の側面光源式バックライトモジュールの光調整構造応用配置状態図である。
【図３】本考案の光調節構造立体図である。
【図４】本考案の別の光調節構造立体図である。
【図５】本考案の光調節構造に設置した中空体の立体図である。
【図６】本考案の別の中空体の立体図である。
【図７】本考案のバックライトモジュールに拡散体を付設して各光源が拡散した構造指示図である。
【符号の説明】
【００１２】
１０  ライトカバー
２０  光源
３０  ライトガイド板
４０  光調節構造
４１  入光面
４２  出光面
４３  拡散体
５０  光学膜片
６０  モニター面板
７０  中空体
【図１】
0003114195.tif 000003
【図２】
0003114195.tif 000004
【図３】
0003114195.tif 000005
【図４】
0003114195.tif 000006
【図５】
0003114195.tif 000007
【図６】
0003114195.tif 000008
【図７】
0003114195.tif 000009